(57)【要約】【課題】背板がその上端側が下端側に対して左右に変位し得る態様で背仕桿に支持されており、背板が左右方向への変位する場合においても、背板の背支桿に対する取付部分に不都合が生じにくい椅子を提供する。【解決手段】背支桿５１と、この背支桿５１に上端側が下端側に対して左右に変位し得る態様で直接又は間接的に支持される背板６１とを具備してなる椅子１００であって、前記背板６１が、前記背支桿５１の先端部に直接又は間接的に支持される背板本体６１ａと、この背板本体６１ａの下端部に設けられ前記背支桿５１の基端側にビスＢ２を用いて止着される下端取付部６１ｂとを備えたものであり、前記下端取付部６１ｂを前記背板本体６１ａの下端部と交差する方向に突出させ、この下端取付部６１ｂを該下端取付部６１ｂの突出方向に対して直交配置したビスＢ２により前記背支桿５１に取り付けることを特徴とする。【選択図】図８
2010063831.tif 000002
【特許請求の範囲】
【請求項１】
背支桿と、この背支桿に上端側が下端側に対して左右に変位し得る態様で直接又は間接的に支持される背板とを具備してなる椅子であって、前記背板が、前記背支桿の先端部に直接又は間接的に支持される背板本体と、この背板本体の下端部に設けられ前記背支桿の基端側に止着具を用いて止着される下端取付部とを備えたものであり、前記下端取付部を前記背板本体の下端部と交差する方向に突出させ、この下端取付部を該下端取付部の突出方向に対して直交配置した止着具により前記背支桿に取り付けることを特徴とする椅子。
【請求項２】
前記背板が、前記背板本体の左右両側部に対をなす側端取付部を設けたものであり、その側端取付部を弾性横桿を介して前記背支桿に間接的に支持させている請求項１記載の椅子。
【請求項３】
前記弾性横桿が、中間部二箇所を前記背支桿に支持させアーム部を左右に延出させたものであり、それらアーム部の延出端を前記背板の側端取付部にそれぞれ取り付けている請求項２記載の椅子。
【請求項４】
前記背支桿が、左右に離間する分岐桿部を有したものであり、それら両分岐桿部に前記弾性横桿の中間部二箇所に設けた取付部をそれぞれ取り付けている請求項３記載の椅子。
【請求項５】
前記弾性横桿が、左右のアーム部の基端に取付部をそれぞれ設け、それら両取付部間を連結部により弾性的に連結したものである請求項４記載の椅子。
【請求項６】
前記弾性横桿が、前記アーム部と、前記取付部と、前記連結部とを合成樹脂により一体に成形したものである請求項５記載の椅子。
【発明の詳細な説明】
【技術分野】
【０００１】
本発明は、背支桿に支持される背板を有する椅子に関するものである。
【背景技術】
【０００２】
従来、背支桿に支持される背板の構造として、背板の下部に背板から突出した取付部分を有しており、その取付部分を介して背支桿に支持される椅子が考えられている。その際、背板のずれを確実に防止して支持するために、背支桿及び取付部分にビス等を貫通させて、背支桿と取付部分とをビス等で固定している。ビスで固定する方法として、特許文献１のように背支桿の前面側から背面側に向かって取付部分及び背板に対して垂直方向に止める方法が知られている。
【特許文献１】特開２００４−１２９９６６号公報
【発明の開示】
【発明が解決しようとする課題】
【０００３】
しかし、このようなものであると、背板の前後方向への動きに対してはビスがその止め着ける力を有効に発揮し得るが、背板の左右方向への動きが加わると微少ではあるがビスに回転方向の力が繰り返し作用することになり、ビスがゆるみ易くなるという可能性が考えられる。背板に左右方向への動きが発生する場合とは、例えば、着座者が着座した状態で右後方に向けて体を捻転させた場合には、背板の上方はその下方で背支桿に取り付けられている部分よりも右に若干スライドし、逆に左後方に向けて体を捻転させた場合には、背板の上方はその下方の取付部分よりも左に若干スライドすることを指す。
【０００４】
このように、取付部分に対して背板が左右にスライドする動きが加わると、ビスの軸方向に対して垂直、すなわちビスの頭に対してビスがゆるむ方向の力が加えられることがある。よって、長期間使用するとビスがゆるむ可能性が考えられ、長期間使用してもビスのゆるみ等生じないようにねじロック等をはじめ、ゆるみ止め対策を講じておく必要がある。
【０００５】
そこで本発明は上記のような課題に着目したものであり、背板がその上端側が下端側に対して左右に変位し得る態様で背仕桿に支持されており、背板が左右方向への変位をする場合においても、背板の背支桿に対する取付部分に不都合が生じにくい椅子を提供することを目的としている。
【課題を解決するための手段】
【０００６】
以上のような課題を解決するためになされた本発明に係る椅子は、背支桿と、この背支桿に上端側が下端側に対して左右に変位し得る態様で直接又は間接的に支持される背板とを具備してなる椅子であって、前記背板が、前記背支桿の先端部に直接又は間接的に支持される背板本体と、この背板本体の下端部に設けられ前記背支桿の基端側に止着具を用いて止着される下端取付部とを備えたものであり、前記下端取付部を前記背板本体の下端部と交差する方向に突出させ、この下端取付部を該下端取付部の突出方向に対して直交配置した止着具により前記背支桿に取り付けていることを特徴とする。
【０００７】
このようなものであれば、止着具の軸方向が背板と垂直とはならないため、背板が左右方向への変位した場合においても、止着具の頭に対して止着具がゆるむ方向の力が加えられることにならず、次第に背板の背支桿に対する止着具がゆるみ、外れてしまうことを抑制することができる。
【０００８】
ここで、止着具とは、ビス、ボルト・ナット等ねじ止めするものや、リベット等を含む概念である。
【０００９】
また、上端側が下端側に対して左右に変位し得る態様で背支桿に支持される背板の構造としては、前記背板本体の左右両側部に対をなす側端取付部を設けたものであり、その側端取付部が弾性横桿を介して前記背支桿に間接的に支持されているものが好ましい。このようなものであれば、上記で述べた下端取付部の他に、背板の上部左右の合わせて３点で背板を固定しているので、背板の左右一方の独立変形を他方にある程度伝えて、よい具合に連動されるため、左右に傾くように変形される。
【００１０】
さらに、背板が左右に変位し得る態様で支持される場合の弾性横桿の例としては、中間部二箇所を前記背支桿に支持させアーム部を左右に延出させたものであり、それらアーム部の延出端を前記背板の側端取付部にそれぞれ取り付けているものが好適である。このようなものであれば、背板と弾性横桿とから作られる弾性ループ構造が大きくなり、弾性変形可能領域を増やすことができる。
【００１１】
また、前記背板を取り付けるのに適した椅子の前記背支桿構造として、左右に離間する分岐桿部を有したものであり、それら両分岐桿部に前記弾性横桿の中間部二箇所に設けた取付部をそれぞれ取り付けているものであれば、前記背支桿と弾性横桿との動きを連動させることができ、さらに前記弾性横桿が、左右のアーム部の基端に取付部をそれぞれ設け、それら両取付部間を連結部により弾性的に連結したものであれば、前記背板と背支桿と弾性横桿との動きを連動させることができる。
【００１２】
また、前記背板を取り付けるのに適した弾性横桿の構造としては、前記アーム部と、前記取付部と、前記連結部とを合成樹脂により一体に成形したものが好適である。このようなものであれば、部品点数、加工工数を削減できるとともに、弾性横桿の幅、厚み、平面形状が部分的に異なるようにして特性を設計できる。
【発明の効果】
【００１３】
本発明によれば、背板がその上端側が下端側に対して左右に変位し得る態様で背仕桿に支持されており、背板が左右方向への変位をする場合においても、背板の背支桿に対する取付部分に不都合が生じにくい椅子を提供できる。
【発明を実施するための最良の形態】
【００１４】
以下、本発明をシンクロチルト式の事務用回転椅子１００に適用した場合の一実施形態につき、図面を参照して説明する。
【００１５】
この椅子１００は、図１ないし図３に示すように、脚１と、この脚１の上部に支持され水平旋回可能な支持基部２と、この支持基部２の上に配された座受３と、この座受３に保持された座４と、前記座受３下方から左右上方に延びて設けられた肘掛け１０と、前記支持基部２に後傾動作可能に設けられた背支持体５と、この背支持体５に取り付けられた背凭れ６とを具備してなる。
【００１６】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１７】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる傾動反力発生機構（図示せず）とを具備してなる。前記傾動反力発生機構は、コイルスプリングやガススプリング等を用いた通常のものであるため、説明を省略する。
【００１８】
前記座受３は、前記座４を保持するシェル状のもので、その前端側が前記支持基部２に前後動可能に取り付けられているとともに、その後端側が前記背支持体５の基端部５１ｂ４に支持されている。
【００１９】
前記肘掛け１０は、前記座受３に取り付けられた肘支柱１０１と、前記肘支柱１０１の上端部に設けられた肘当て１０２とを具備してなる。左右の肘掛け１０は、左右対称形状をなしている。
【００２０】
前記背支持体５は、前記支持基部２の主軸２２に後傾動作可能に支持された背支桿５１と、この背支桿５１の上端部に取り付けられた弾性横桿５２とを具備してなる。
【００２１】
前記背支桿５１は、全体が側面視ほぼＬ字型であり、基端部５１ｂ４を前記支持基部２の主軸２２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続する位置から座４の下面に至るまで前方に延びて設けられている。前記下部背フレーム５１ｂは、支持基部２に取り付けられた基端部５１ｂ４の他、当該下部背フレーム５１ｂの外形をなす左右対をなす縦フレーム部５１ｂ１と、当該対をなす縦フレーム部５１ｂ１間を溶接により接続する結合板部５１ｂ２とを有している。結合板部５１ｂ２は、縦フレーム部５１ｂ１の上端前側を若干屈曲しながら溶接により接続する金属板である結合板５１ｂ２１を主体としてなり、当該結合板５１ｂ２１の左右には上下方向にそれぞれ３つのナット部分を形成している。そして当該ナット部分の内、上側の４つのネジ穴をフレーム固定孔として上部背フレーム５１ａと結合させるために用いる。また、下方の２つのナット部分を背固定孔５１ｂ２２として背凭れ６の下端取付部６１ｂを固定させるために用いる。上部背フレーム５１ａは、合成樹脂により一体に成型され、背凭れ６が起立状態の場合にほぼ垂直に延び、この上端部で前記弾性横桿５２を介して背板６１上部を支持している。この上部背フレーム５１ａは、下端側において前方に延び出した下部背フレーム５１ｂに連続する位置から次第に向きを垂直に変えるように設けられている基部５１ａ１と、当該基部５１ａ１の上側において二股に分岐する分岐桿部５１ａ２を有したものである。前記基部５１ａ１の下部において、前記下端取付部６１ｂがビス止めされることとなる。
【００２２】
前記弾性横桿５２は、中間部二箇所を前記背支桿５１の上端部に支持させた板ばね状のもので、その両端部で前記背凭れ６を支えている。前記弾性横桿５２は、前記背支桿５１とは独立した付け替え可能な部材であり、左右一対に形成されたアーム部５２ａと、アーム部５２ａの基端にそれぞれ配置され、上部背フレーム５１ａの分岐桿部５１ａ２に取り付けられる取付部５２ｂと、両取付部５２ｂの間を弾性的に連結する連結部５２ｃとを具備してなる。アーム部５２ａ、取付部５２ｂ及び連結部５２ｃの各部は合成樹脂により一体に形成されたものである。
【００２３】
前記アーム部５２ａは、全体を平面視において弓状に湾曲して形成してなるもので、着座者の荷重を受けて後方に撓む余地を持たせている。アーム部５２ａの延出端５２ａ１には、図６に示すように、上下に離間した位置に第一、第二の凸部Ｔ１、Ｔ２が形成され、これら第一、第二の凸部Ｔ１、Ｔ２の間に、第一の凹部Ｈ１が形成されている。これら第一、第二の凸部Ｔ１、Ｔ２及び第一の凹部Ｈ１は、背板本体６１ａの側端取付部６１ｃに形成された第二、第三の凹部Ｈ２、Ｈ３及び第三の凸部Ｔ３とかみ合うようになっている。第一、第二及び第三の凸部Ｔ１、Ｔ２、Ｔ３の略中央部には、上下方向に貫通する貫通孔Ｋ１、Ｋ２、Ｋ３が形成され、これらの周囲には必要に応じて軸受（図示せず）が取着される。そして、アーム部５２ａの延出端５２ａ１と背板本体６１ａとは、軸Ｂ１を用いてヒンジ結合される。前記取付部５２ｂは、背支桿５１の上部背フレーム５１ａにおいて左右に離間する分岐桿部５１ａ２にそれぞれ取り付けられるように、左右のアーム部５２ａの基端にそれぞれ形成されたものである。前記連結部５２ｃは二箇所の取付部５２ｂの間を弾性的に連結するものである。この連結部５２ｃは平面視後方に弓状に湾曲して形成され、着座者の荷重を受けて弾性的に撓む余地を持たせている。
【００２４】
前記背凭れ６は、背板６１を主体に構成されたものである。前記背板６１は、図３に示すように、背板６１の上下方向中間部の腰部を最も前方に突出させて、後方に湾曲しており、背支桿５１に止められる前記下端取付部６１ｂ、より具体的には、直接ビス止めされる後述する背支桿取付部６１ｂ２とのなす角度ができるだけ直角に近づくように考慮して設計されている。下端取付部図４及び図５に示すように、背板本体６１ａと、この背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。
【００２５】
前記背板本体６１ａは、合成樹脂により一体形成で作られるもので、孔６１ｄを有しない周縁枠部６１ａ１と、この周縁枠部６１ａ１に囲まれた中間面部６１ａ２とを具備してなる。
【００２６】
前記周縁枠部６１ａ１は、前記背板本体６１ａの上辺、左右両側辺及び下辺に沿って形成されたもので、正面視環状をなしている。この周縁枠部６１ａ１に、前記下端取付部６１ｂ及び前記側端取付部６１ｃが一体に設けられている。すなわち、これらの下端取付部６１ｂ及び側端取付部６１ｃについても前記背板本体６１ａと一緒に合成樹脂により一体成形で作られるものである。
【００２７】
前記中間面部６１ａ２は、前記周縁枠部６１ａ１に上下左右を囲まれた正面視縦長のほぼ矩形であり、その左右の側辺が平行となっている。また、複数の孔６１ｄを設けた樹脂メッシュ領域Ｍと、孔６１ｄを有しない樹脂シェル領域Ｓとを備えている。その樹脂メッシュ領域Ｍと樹脂シェル領域Ｓとは交互に配置されている。
【００２８】
前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これらのうち二本の樹脂シェル領域Ｓ間及び樹脂シェル領域Ｓと周縁枠部６１ａ１との間に前記樹脂メッシュ領域Ｍがそれぞれ形成されている。
【００２９】
前記樹脂メッシュ領域Ｍは、前記樹脂シェル領域Ｓよりも薄肉に形成されており、複数の円形の孔６１ｄが貫設されている。また、前記樹脂シェル領域Ｓの前面に、前記樹脂メッシュ領域Ｍの孔６１ｄの形状に対応した複数の円形をなす有底の凹部６１ｅを形成してある。前記樹脂メッシュ領域Ｍに設けられた複数の孔６１ｄと前記樹脂シェル領域Ｓに設けられた複数の凹部６１ｅは、一定の規則性をもって配置されている。
【００３０】
また、前記樹脂シェル領域Ｓの前面と前記樹脂メッシュ領域Ｍの前面とは面一に形成されている。一方、前記樹脂メッシュ領域Ｍの背面は、前記樹脂シェル領域Ｓの背面よりも凹んで設けられている。
【００３１】
前記周縁枠部６１ａ１の前面と前記中間面部６１ａ２との境界には、段部６１ａ３が形成されている。換言すれば、前記段部６１ａ３を境にして、前記中間面部６１ａ２が前記周縁枠部６１ａ１よりも前方にせり出すような形態をなしている。
【００３２】
前記側端取付部６１ｃは、合成樹脂により前記背板６１の周縁枠部６１ａ１と一体に作られる。前記下端取付部６１ｂは、周縁枠部６１ａ１の左右側端の中央部よりやや上方において左右対称に、周縁枠部６１ａ１より後方に突出して設けられる。前記下端取付部６１ｂの後端部には前記弾性横桿５２を取り付けるための凹部及び凸部を有する。具体的には、前記弾性横桿５２のアーム部５２ａの延出端５２ａ１に設けられた第一、第二の凸部Ｔ１、Ｔ２及び第一の凹部Ｈ１にかみ合うように対応する部分に、第二、第三の凹部Ｈ２、Ｈ３及び第三の凸部Ｔ３が設けられており、第三の凸部Ｔ３の略中央部には、アーム部５２ａの延出端５２ａ１と前記側端取付部６１ｃとをヒンジ結合するための軸Ｂ１を上下方向に貫通させるための貫通孔Ｋ２が形成されている。
【００３３】
前記下端取付部６１ｂは、合成樹脂により前記背板６１の周縁枠部６１ａ１と一体に作られる。前記下端取付部６１ｂは、その横幅寸法が前記下部背フレーム５１ｂの横幅寸法とほぼ等しい大きさをなし、周縁枠部６１ａ１の下端中央部から周縁枠部６１ａ１と交差する方向に突出する下端取付部本体６１ｂ１と、前記下端取付部本体６１ｂ１下部の両側縁に設けられた背支桿取付部６１ｂ２とを具備してなる。前記下端取付部本体６１ｂ１は、下方になるにしたがって薄くなるテーパ形状をなしており、その上部を周縁枠部６１ａ１の下端から後方へと突出させている一方、その下部を周縁枠部６１ａ１の下端から前方へと突出させている。前記背支桿取付部６１ｂ２は、前記下端取付部本体６１ｂ１の下部、具体的には周縁枠部６１ａ１より前方部分の両側縁に沿って平行に設けられている。また、左右の背支桿取付部６１ｂ２のそれぞれの中央付近で前記下部背フレーム５１ｂの背固定孔５１ｂ２２に対応する部分に、ビスＢ２で固定するためのねじ孔６１ｂ３が設けられている。
【００３４】
本実施例では、背板６１の下端取付部６１ｂをビスＢ２を用いてねじ止めすることにより前記背支桿５１に背板６１を取り付けるようにしている。具体的には、図７及び図８に示すように、背支桿５１の結合板部５１ｂ２の上に、背板６１の下端取付部６１ｂを添設し、下端取付部６１ｂの背支桿取付部６１ｂ２に設けられた前記ねじ孔６１ｂ３と前記背固定孔５１ｂ２２を貫いて、下端取付部６１ｂの突出方向に対して直交配置したビスＢ２で固定される。したがって、下端取付部本体６１ｂ１の上部が前記上部背フレーム５１ａに添設されて固定され、下端取付部本体６１ｂ２の下部が前記下部背フレーム５１ｂに添設されて固定されることとなる。
【００３５】
また、本実施形態における椅子１００は、上記のような構造であるために、弾性横桿５２と背板６１とによって弾性変形可能なループ構造Ｒが形成されたものとしている。
【００３６】
ループ構造Ｒとは、一定の領域を連続的に取り囲む構造を指称するものであり、具体的には、弾性横桿５２と背板６１とによって連続的に形成された平面視環状をなすものである。例えば、図９に示されるループ構造Ｒとしては、弾性横桿５２と背板６１とによって、平面視略三ヶ月状をなしたものが示されている。弾性変形可能なループ構造Ｒは、弾性横桿５２と背板６１とが協働する関係をなす。このため、着座者の荷重を受けて背板６１の特定の部分が後方に弾性変形した場合であっても、ループ構造Ｒを形成する他の部分は必然的に連動して弾性変形することになる。
【００３７】
ループ構造Ｒの特性について、より具体的な例を用いて説明すれば次の通りである。着座者が着座した状態で斜め左後方に向けて体を捻転させた場合には、着座者の肩まわりが背板本体６１ａの左側を後方に押し付け、図１０に示すように、背板本体６１ａの左側部分が後方に弾性変形し、これに連動してループ構造Ｒを構成する弾性横桿５２の左側のアーム部５２ａが後方に回動するように弾性横桿５２が撓むことになる。これと同時に、背板本体６１ａの右側部分は背支桿５１の分岐桿部５１ａ２を中心軸として相対的に前方に変位することから、弾性横桿５２の連結部５２ｃ及び右側のアーム部５２ａは、背板本体６１ａの右側部分の変位と連動して背板本体６１ａの右側部分を前方に押しやるように弾性変形することになる。このように、ループ構造Ｒは、背板本体６１ａの左右何れか一方に大きな荷重がかかった場合でも、ループ構造Ｒを構成する部材全体に必然的に弾性変形が及ぶため、着座者の背中を包み込むように支持するが如くの良好な座り心地を与えることができる。そして、このようなループ構造Ｒが形成されるため、着座者が着座した状態で左後方に向けて体を捻転させた場合には、背板本体６１ａの右側部分は背支桿５１の分岐桿部５１ａ２を中心軸として相対的に前方に変位するのと同時に、背板６１の上端側が下端側に対して左に変位する、すなわち背板６１の上方はその下方で背支桿５１に取り付けられている部分よりも左に若干スライドするように変位するものとなっている。
【００３８】
また、図１１に示すように、背凭れ６の後傾動作に伴って背板６１の中央に後方への荷重が作用した場合には、背板６１が後方へ移動・湾曲するとともに、弾性横桿５２の両アーム部５２ａが後方に回動しループ構造Ｒが平面視扁平な形状となる。
【００３９】
以上のような構成とすることにより、本実施例に係る椅子１００は、背支桿５１と、この背支桿５１に上端側が下端側に対して左右に変位し得る態様で直接的又は間接的に支持される背板６１とを具備してなる椅子１００であって、前記背板６１が、前記背支桿５１の先端部に間接的に支持される背板本体６１ａと、この背板本体６１ａの下端部に設けられ前記背支桿５１の基端側にビスＢ２を用いて止着される下端取付部６１ｂとを備えたものであり、前記下端取付部６１ｂを前記背板本体６１ａの下端部と交差する方向に突出させ、この下端取付部６１ｂを該下端取付部６１ｂの突出方向に対して直交配置したビスＢ２により前記背支桿５１に取り付けているので、ビスＢ２の軸方向が背板６１と垂直とはならない。したがって、背板６１が左右方向への変位した場合においても、ビスＢ２の頭に対してビスＢ２がゆるむ方向の力が加えられることにならず、背板６１の背支桿５１に対する取付部分のゆるみ止め対策を講ずることができる。
【００４０】
また、背板６１が前記背板本体６１ａの左右両側部に対をなす側端取付部６１ｃを設けたものであり、その側端取付部６１ｃを弾性横桿５２を介して前記背支桿５１に間接的に支持させているので、背板６１の上端側が下端側に対して左右に変位し得る態様で背支桿５１に支持される。すなわち、下端取付部６１ｂと左右２ヶ所の側端取付部６１ｃによって背板６１が固定されているので、背板６１の左右一方の独立変形を他方にある程度伝えて、よい具合に連動されるため、左右に傾くように変形され得る。
【００４１】
さらに、弾性横桿５２が、中間部二箇所を前記背支桿５１に支持させアーム部５２ａを左右に延出させたものであり、それらアーム部５２ａの延出端５２ａ１を前記背板６１の側端取付部６１ｃにそれぞれ取り付けているものであるので、背板６１が左右に変位し得る態様で支持される。すなわち、背板６１と弾性横桿５２とから作られるループ構造Ｒが大きくなり、弾性変形可能領域を増やすことができる。
【００４２】
また、背支桿５１が、左右に離間する分岐桿部５１ａ２を有したものであり、それら両分岐桿部５１ａ２に前記弾性横桿５２の中間部二箇所に設けた取付部５２ｂをそれぞれ取り付けているものであるので、前記背支桿５１と弾性横桿５２との動きを連動させることができ、さらに前記弾性横桿５２が、左右のアーム部５２ａの基端に取付部５２ｂをそれぞれ設け、それら両取付部５２ｂ間を連結部５２ｃにより弾性的に連結しているので、前記背板６１と背支桿５１と弾性横桿５２との動きを連動させることができる。
【００４３】
また、弾性横桿５２が、前記アーム部５２ａと、前記取付部５２ｂと、前記連結部５２ｃとを合成樹脂により一体に成形したものであるので、部品点数、加工工数を削減できるとともに、弾性横桿５２の幅、厚み、平面形状が部分的に異なるようにして特性を設計できる。
【００４４】
なお、本発明は以上に述べたような実施形態に限らず種々変更可能である。
【００４５】
本実施形態においては、前記背板が側端取付部を設けたものであり、その側端取付部を弾性横桿を介して前記背支桿に間接的に支持されている態様を示したが、これに限らず、背板が背支桿に直接的に支持されているものであってもよい。このようなものであっても、背支桿５１と背板６１とが協働する関係をなしており、たとえば、着座者が着座した状態で右後方に向けて体を捻転させた場合に、背板本体６１ａの左側部分が背支桿５１を中心軸として相対的に前方に変位するのと同時に、背板６１の上端側が下端側に対して右に若干変位する、すなわち背板６１の上方はその下方で背支桿５１に取り付けられている部分よりも右に若干スライドするように変位するようなものであれば、本実施形態と同様の効果が得られるからである。
【００４６】
また、本実施形態では、左右に離間する分岐桿部を有した背支桿として、上部背フレームに分岐桿部を有した態様を示したが、これに限らない。また、弾性横桿が配置される箇所は、本実施形態に示されるものに限定されるものではなく、本発明の趣旨を逸脱しない範囲で種々変形が可能である。
【００４７】
以上、本実施形態について詳述したが、本発明は上記実施形態に限定されるものではなく、その他各部の具体的構成は、本発明の趣旨を逸脱しない範囲で種々変形が可能である。
【図面の簡単な説明】
【００４８】
【図１】本発明の実施形態に係る椅子を示す後方斜視図。
【図２】同実施形態の前方斜視図。
【図３】同実施形態の側面図。
【図４】同実施形態に係る椅子用背板を示す正面図。
【図５】同背面図。
【図６】同実施形態に係る椅子用背板の側端取付部と弾性横桿の接続態様を拡大して示す概略斜視図。
【図７】同実施形態に係る椅子用背板を示す側面図。
【図８】同実施形態に係る椅子用背板の下端取付部の取付方法を示す斜視図。
【図９】同実施形態に係る弾性横桿及び背板により形成されるループ構造を示す概略図。
【図１０】同実施形態に係る弾性横桿及び背板により形成されるループ構造が荷重を受けて変形する態様を示す概略図。
【図１１】同実施形態に係る弾性横桿及び背板により形成されるループ構造が荷重を受けて変形する態様を示す概略図。
【符号の説明】
【００４９】
１００…椅子
５１…背支桿
５１ａ２…分岐桿部
５２…弾性横桿
５２ａ…アーム部
５２ａ１…延出端
５２ｂ…取付部
５２ｃ…連結部
６１…背板
６１ａ…背板本体
６１ｂ…下端取付部
６１ｃ…側端取付部
Ｂ２…ビス
【図１】
2010063831.tif 000003
【図２】
2010063831.tif 000004
【図３】
2010063831.tif 000005
【図４】
2010063831.tif 000006
【図５】
2010063831.tif 000007
【図６】
2010063831.tif 000008
【図７】
2010063831.tif 000009
【図８】
2010063831.tif 000010
【図９】
2010063831.tif 000011
【図１０】
2010063831.tif 000012
【図１１】
2010063831.tif 000013